(57)【要約】【課題】車両用空調装置において、ケーシングに対するフィルタの挿入・取り出しを確実且つ容易に行うことができると共に、フィルタの製造コストを抑制する。【解決手段】車両用空調装置１０を構成する送風機ユニット１４には、フィルタ３２の挿入されるフィルタ挿入口３４が上部ケース２０の側方に設けられ、前記フィルタ挿入口３４には、該フィルタ挿入口３４の端部から突出し、下方に設けられた第１縁部４６と、上方に設けられた第２縁部４８とを備える。そして、第２縁部４８が第１縁部４６に対してフィルタ３２の取り出し方向における奥側となるようにオフセットして設けられ、前記第１縁部４６と第２縁部４８とからなるフィルタ挿入口３４の開口面５４が傾斜して形成される。これにより、上部ケース２０に収納されたフィルタ３２の一端部３２ｃがフィルタ挿入口３４から外部に露出している。【選択図】図１
2013136259.tif 000002
【特許請求の範囲】
【請求項１】
ケーシングと、該ケーシング内に挿入されるフィルタと、該ケーシングの側面に開口するフィルタ挿入口と、前記フィルタ挿入口に装着され該フィルタ挿入口を閉塞するフィルタカバーとを備える車両用空調装置において、
前記フィルタ挿入口には、前記フィルタの厚さ方向において対向する第１縁部と第２縁部とを備え、前記フィルタ挿入口の開口面は、前記第１縁部が前記第２縁部に対して前記フィルタの取り出し方向手前側となるように傾斜して形成されることを特徴とする車両用空調装置。
【請求項２】
請求項１記載の車両用空調装置において、
前記フィルタは、前記ケーシングに装着された際に、前記開口面から露出することを特徴とする車両用空調装置。
【請求項３】
請求項１又は２記載の車両用空調装置において、
前記フィルタは、挿入方向に波状に折曲して形成され、前記フィルタ挿入口側となる端部が、前記第２縁部側に開口するように装着されることを特徴とする車両用空調装置。
【請求項４】
請求項１〜３のいずれか１項に記載の車両用空調装置において、
前記フィルタ挿入口の前記第１縁部側には、該フィルタ挿入口の開口面と直交方向に延在し、前記フィルタカバーと嵌合する第１リブを備え、前記フィルタは前記フィルタ挿入口に挿入される際、前記第１縁部と前記第２縁部及び前記第１リブの先端に当接することを特徴とする車両用空調装置。
【請求項５】
請求項４記載の車両用空調装置において、
前記第１リブの先端は、前記フィルタの前記フィルタ挿入口への挿入方向と平行な面を有することを特徴とする車両用空調装置。
【請求項６】
請求項１〜５のいずれか１項に記載の車両用空調装置において、
前記フィルタ挿入口の前記第２縁部側には、該フィルタ挿入口の開口面と直交方向に延在し、前記フィルタカバーと嵌合する第２リブを備えることを特徴とする車両用空調装置。
【請求項７】
請求項１〜６のいずれか１項に記載の車両用空調装置において、
前記フィルタカバーには、前記フィルタ挿入口に装着された際に該フィルタ挿入口に対向する側面が、前記フィルタにおける前記フィルタカバー側の端面と平行になるように形成されることを特徴とする車両用空調装置。
【請求項８】
請求項１〜７のいずれか１項に記載の車両用空調装置において、
前記ケーシングは、内気又は外気を導入する内外気切換装置を構成し、前記内外気切換装置は、前記内気又は外気を導入する開口部と、前記開口部を開閉するダンパと、前記開口部の周縁に形成され前記ダンパが当接することで該開口部を閉塞するシール面とを備え、
前記フィルタ挿入口の開口面と前記シール面とが互いに直交することを特徴とする車両用空調装置。
【発明の詳細な説明】
【技術分野】
【０００１】
本発明は、車両に搭載され、送風機によって取り込んだ空気を調温して車室内へと送風することで車室内の温度調整を行う車両用空調装置に関する。
【背景技術】
【０００２】
車両に搭載される車両用空調装置は、送風機によって内外気をケース内へと取り込み、冷却手段である蒸発器により冷却された空気と、加熱手段であるヒータコアにより加熱された空気とを前記ケース内で所望の混合比率で混合した後、車室内に設けられた各吹出口から選択的に送風することによって前記車室内の温度及び湿度の調整を行っている。この送風機を含む送風機ユニットには、外気に含まれる塵埃等を除去するためのフィルタが設けられており、前記フィルタに外気を通過させることで前記塵埃等の除去された空気をケース内へと供給している（例えば、特許文献１、２参照）。
【先行技術文献】
【特許文献】
【０００３】
【特許文献１】特開２００４−１６８３７２号公報
【特許文献２】特開２００３−１１６５９号公報
【発明の概要】
【発明が解決しようとする課題】
【０００４】
一般的に、上述したような車両用空調装置に用いられるフィルタは、ケースの側方に開口したフィルタ挿入口から挿入・取り出し可能に設けられており、例えば、塵埃等の付着に起因して目詰まり等が生じた場合に前記フィルタ挿入口から取り出して、新たなフィルタへと交換される。
【０００５】
しかしながら、上述した特許文献１に係る車両用空調装置においては、ケースの内部に設けられたフィルタの端部が、フィルタ挿入口の開口よりも内側にあるため、前記フィルタを交換する際に作業者が取り出しにくく、作業性の低下を招くこととなる。また、特許文献２に係る車両用空調装置では、フィルタを取り出しやすくするために、前記フィルタを大きくしてケースの側面に対して若干だけ突出させる構成としている。このような構成とすることで、フィルタの取り出し性を向上させているが、前記フィルタを予め大きめに製造しておく必要があり、フィルタの製造コストが増加する。
【０００６】
本発明は、前記の課題を考慮してなされたものであり、ケースに対するフィルタの挿入・取り出しを確実且つ容易に行うことができ、しかも、フィルタの製造コストを抑制することが可能な車両用空調装置を提供することを目的とする。
【課題を解決するための手段】
【０００７】
前記の目的を達成するために、本発明は、ケーシングと、該ケーシング内に挿入されるフィルタと、該ケーシングの側面に開口するフィルタ挿入口と、前記フィルタ挿入口に装着され該フィルタ挿入口を閉塞するフィルタカバーとを備える車両用空調装置において、
前記フィルタ挿入口には、前記フィルタの厚さ方向において対向する第１縁部と第２縁部とを備え、前記フィルタ挿入口の開口面は、前記第１縁部が前記第２縁部に対して前記フィルタの取り出し方向手前側となるように傾斜して形成されることを特徴とする。
【０００８】
本発明によれば、車両用空調装置を構成するケーシングには、その側面に開口したフィルタ挿入口を通じてフィルタが装着され、前記フィルタ挿入口は、フィルタの厚さ方向において対向した第１縁部と第２縁部とを備え、前記第１縁部と第２縁部とから構成されるフィルタ挿入口の開口面を、前記フィルタの取り出し方向手前側となるように傾斜させている。
【０００９】
従って、フィルタを前記ケーシングから取り出す際、フィルタ挿入口の第２縁部が前記フィルタの延在方向に対して隙間の生じる方向に傾斜しているため、作業者は、その隙間から前記フィルタを把持することで、該フィルタを容易に取り出すことができる。また、従来技術に係る車両用空調装置のように、フィルタをケーシングから突出するように大きく形成する必要がないため、前記フィルタの製造コストが増加してしまうことがない。
【００１０】
また、フィルタは、ケーシングに装着された際に、開口面から露出させることにより、前記フィルタを前記ケーシングから取り出す際、露出しているフィルタの一部を作業者が把持することで、該フィルタを容易且つ確実に取り出すことができる。
【００１１】
さらに、フィルタは、挿入方向に波状に折曲して形成され、フィルタ挿入口側となる端部を、第２縁部側に開口するように装着することにより、上方に開口した一端部に対して作業者が指を引っ掛けることで容易に引き出すことが可能となり、前記フィルタを確実且つ簡便に取り出すことができる。
【００１２】
さらにまた、フィルタ挿入口の第１縁部側には、フィルタ挿入口の開口面と直交方向に延在し、フィルタカバーと嵌合する第１リブを備え、フィルタを前記フィルタ挿入口に挿入する際、第１縁部と第２縁部及び前記第１リブの先端に当接させるとよい。これにより、フィルタをフィルタ挿入口へと挿入する際に、第１リブ、第１縁部及び第２縁部に対して前記フィルタの上面及び下面を当接させて保持することができるため、前記フィルタ挿入口に対するフィルタの挿入角度を小さくすることが可能となり、それに伴って、前記フィルタを容易且つ円滑に挿入することができる。
【００１３】
またさらに、第１リブの先端は、フィルタのフィルタ挿入口への挿入方向と平行な面を有することにより、前記フィルタ挿入口にフィルタを挿入する際、前記第１リブに対する前記フィルタの引っ掛かりを防止することができ、前記フィルタを円滑に挿入することが可能となる。
【００１４】
また、フィルタ挿入口の第２縁部側には、フィルタ挿入口の開口面と直交方向に延在し、フィルタカバーと嵌合する第２リブを備えることにより、前記フィルタ挿入口の開口部上方にスペースが生じるため、フィルタを取り出す際に好適である。
【００１５】
さらに、フィルタカバーは、フィルタ挿入口に装着された際に該フィルタ挿入口に対向する側面が、前記フィルタにおける前記フィルタカバー側の端面と平行になるように形成するとよい。これにより、フィルタカバーをフィルタ挿入口へと装着することで、フィルタの端面に当接させて押さえることが可能となり、前記フィルタに対して過大な押圧力を付与することが防止される。
【００１６】
さらにまた、ケーシングは、内気又は外気を導入する内外気切換装置を構成し、前記内外気切換装置は、前記内気又は外気を導入する開口部と、前記開口部を開閉するダンパと、前記開口部の周縁に形成され前記ダンパが当接することで該開口部を閉塞するシール面とを備え、
前記フィルタ挿入口の開口面と前記シール面とを互いに直交させるとよい。
【００１７】
これにより、フィルタ挿入口及びシール面を有したケーシングを成形する際に、単一の金型で型抜きを行うことができるため、それぞれ別の金型で成形する場合と比較して金型に要するコストの低減を図ることができる。
【発明の効果】
【００１８】
本発明によれば、以下の効果が得られる。
【００１９】
すなわち、ケーシングの側面に開口したフィルタ挿入口には、フィルタの厚さ方向において対向した第１縁部と第２縁部とを備え、前記第１縁部と第２縁部とから構成されるフィルタ挿入口の開口面を、前記フィルタの取り出し方向手前側となるように傾斜させることにより、前記フィルタを前記ケーシングから取り出す際、フィルタ挿入口の第２縁部が前記フィルタの延在方向に対して隙間の生じる方向に傾斜しているため、作業者は、その隙間から前記フィルタを把持することで、該フィルタを容易に取り出すことができる。また、従来技術に係る車両用空調装置のように、フィルタをケーシングから突出するように大きく形成する必要がないため、前記フィルタの製造コストが増加してしまうことがない。
【図面の簡単な説明】
【００２０】
【図１】本発明の実施の形態に係る車両用空調装置における送風機ユニットの全体断面図である。
【図２】図１の車両用空調装置における上部ケースの内気導入口近傍を示す拡大断面図である。
【図３】図１の車両用空調装置におけるフィルタ挿入口近傍を示す拡大断面図である。
【図４】図３においてフィルタ挿入口へフィルタを挿入する状態を示す拡大断面図である。
【発明を実施するための形態】
【００２１】
本発明に係る車両用空調装置について好適な実施の形態を挙げ、添付の図面を参照しながら以下詳細に説明する。
【００２２】
図１において、参照符号１０は、本発明の実施の形態に係る車両用空調装置を示す。
【００２３】
この車両用空調装置１０は、図１に示されるように、空気の各通路が内部に設けられた空調ケース（図示せず）と、前記空調ケースの側部に連結ダクト１２を介して連結され、前記空調ケースにおける各通路へと前記空気を送風するための送風機ユニット１４とを含む。なお、この空調ケースの内部には、供給された空気を冷却する蒸発器、該空気を加熱するヒータコア、前記各通路内を流通する空気の流れを切り換えるダンパ機構等が設けられる。
【００２４】
送風機ユニット１４は、図１〜図４に示されるように、内部に送風機１６の収納される送風機ケース１８と、前記送風機ケース１８の上部に設けられる上部ケース（ケーシング）２０とを備える。
【００２５】
送風機ケース１８は、上部が開口した有底筒状に形成され、その略中央部には、送風機１６が設けられ、例えば、複数のフィンを有した回転ファン２４が駆動モータ２６によって回転自在に設けられる。なお、送風機１６は、駆動モータ２６が送風機ケース１８の下部に保持される。そして、駆動モータ２６が回転駆動することによって回転ファン２４が回転し、そのフィンによって上部ケース２０から送風機ケース１８へと空気が吸い込まれ、送風機ケース１８を通じて連結ダクト１２から空調ケース側へと送風される。
【００２６】
上部ケース２０は、例えば、樹脂製材料を成形することで形成され、上方（矢印Ａ方向）に向かって開口し車両の外部の空気が導入される外気導入口２８と、該外気導入口２８に隣接して開口し車室内の空気が導入される内気導入口３０と、側方に開口してフィルタ３２の挿入されるフィルタ挿入口３４と、前記外気導入口２８と内気導入口３０の開口状態を切り換える切換ダンパ３６とを備える。また、内気導入口３０は、例えば、送風機１６の軸線に対して所定角度傾斜して開口し、フィルタ挿入口３４との間に切換ダンパ３６が当接するダンパ係止壁４０（図１参照）が設けられる。なお、このダンパ係止壁４０は、切換ダンパ３６が当接することで内気導入口３０を閉塞するシール面として機能する。
【００２７】
フィルタ挿入口３４は、例えば、断面長方形状に開口し、上部ケース２０の側面に対して突出してフィルタカバー３８の装着される取付部４２が設けられる。なお、取付部４２の開口面積は、後述するフィルタ３２の断面積に対応した大きさで設定される。
【００２８】
また、上部ケース２０の内部には、フィルタ挿入口３４と連通し、該フィルタ挿入口３４から略水平方向（矢印Ｃ方向）に延在したガイド部４４が形成される。このガイド部４４は、上部ケース２０の内部に沿って形成され、送風機１６の上方（矢印Ａ方向）に配置されると共に、該送風機１６を構成する回転ファン２４と略平行に設けられる。そして、上部ケース２０の内部に挿入されたフィルタ３２を略水平な状態で保持することで、前記フィルタ３２が送風機１６の上方に配置された状態となる。
【００２９】
取付部４２は、フィルタ挿入口３４の端部から突出し、下方となる送風機ケース１８側（矢印Ｂ方向）の端部に設けられる第１縁部４６と、上方となる内気導入口３０側（矢印Ａ方向）に設けられる第２縁部４８とを備え、前記第１縁部４６には、該第１縁部４６に対してさらに突出した第１リブ５０が設けられ、一方、前記第２縁部４８には、該第２縁部４８に対してさらに突出した第２リブ５２が設けられる。
【００３０】
フィルタ挿入口３４は、第１及び第２縁部４６、４８、第１及び第２リブ５０、５２を介してガイド部４４の延在方向（矢印Ｃ方向）に対して所定角度だけ上方（矢印Ａ方向）へと傾斜して開口し、下方（矢印Ｂ方向）に設けられた第１縁部４６及び第１リブ５０が、上方（矢印Ａ方向）に設けられた第２縁部４８及び第２リブ５２に対して外側となるように設けられる。また、第１縁部４６及び第１リブ５０と第２縁部４８及び第２リブ５２とは、互いに所定間隔離間して平行となるように形成される。
【００３１】
換言すれば、取付部４２は、図４に示されるように、例えば、第１縁部４６のケース内側端部と第２縁部４８のケース内側端部とを結んだ開口面５４が、鉛直線Ｌに対して下方が所定角度だけ上部ケース２０側、すなわち、フィルタ３２の取り出し方向手前側へと傾斜している。
【００３２】
また、図４に示されるように、フィルタ挿入口３４の開口角度は、内気導入口３０の開口角度（ダンパ係止壁４０の角度）と略同一となるように形成されているため、例えば、上部ケース２０を成形する際に、同一の金型で成形して型抜きを行うことができる。
【００３３】
第１リブ５０には、第２リブ５２側（矢印Ａ方向）となる上面が、平面状に形成された平坦部（面）５６を有する。この平坦部５６は、フィルタ３２をフィルタ挿入口３４へと挿入する際、該フィルタ３２の上面３２ａが第２縁部４８に当接し、且つ、下面３２ｂが第１縁部４６に当接した支持状態で、前記下面３２ｂと平行となるように形成される。そして、図４に示されるように、上述したフィルタ３２の支持状態において該フィルタ３２の下面３２ｂが平坦部５６に対して面接触することによって保持される。
【００３４】
フィルタカバー３８は、フィルタ挿入口３４を覆うように形成され、本体部５８と、該本体部５８の端部に形成され前記本体部５８に対して折曲した一組の壁部６０ａ、６０ｂとを備え、一方の壁部６０ａの端部には、取付部４２の第１リブ５０に係合される第１凹部６１ａが形成され、他方の壁部６０ｂには、前記取付部４２の第２リブ５２に係合される第２凹部６１ｂが形成される。
【００３５】
本体部５８は、互いに所定角度傾斜した２つの平面部（側面）６２から構成され、その一方の平面部６２は、フィルタカバー３８が上部ケース２０の取付部４２に装着された際、鉛直方向（矢印Ａ、Ｂ方向）に延在するように配置され、フィルタ３２の一端部３２ｃに当接して保持する押さえ部として機能する。
【００３６】
フィルタ３２は、例えば、不織布を波状に複数回折曲させることで形成され、フィルタ挿入口３４の高さ寸法と略同一若しくは若干だけ小さな厚さ寸法で形成され、折り曲げられたフィルタ３２の側部は、図示しないハードテープにより固定されている。そして、フィルタ挿入口３４から上部ケース２０の内部へと挿入された際、該上部ケース２０の内部に形成されたガイド部４４に沿って案内され、略水平となるように保持される。
【００３７】
また、フィルタ３２は、その挿入方向（矢印Ｃ方向）と折曲された折り目とが直交する方向に挿入され、フィルタ挿入口３４側となる一端部３２ｃが、第２リブ５２側（矢印Ａ方向）に開口するように挿入される。そして、上部ケース２０のフィルタ挿入口３４にフィルタカバー３８が装着された際、フィルタ３２の一端部３２ｃが前記フィルタカバー３８の平面部６２に当接して保持される。
【００３８】
切換ダンパ３６は、例えば、断面扇状に形成され、図示しないアクチュエータ等の駆動手段によって支軸６４を介して回動自在に設けられる。また、切換ダンパ３６は、上部ケース２０の内部において外気導入口２８及び内気導入口３０に臨む位置に設けられ、前記外気導入口２８に臨む位置まで回動することで、前記外気導入口２８が閉塞され、且つ、内気導入口３０が開口した内気導入状態となり、一方、前記切換ダンパ３６が、内気導入口３０に臨む位置まで回動してダンパ係止壁４０に当接することで、前記内気導入口３０が閉塞され、且つ、外気導入口２８が開口した外気導入状態へと切り換えられる。
【００３９】
本発明の実施の形態に係る車両用空調装置１０は、基本的には以上のように構成されるものであり、次に前記車両用空調装置１０の送風機ユニット１４に装着されたフィルタ３２を交換する場合について説明する。
【００４０】
最初に、車両用空調装置１０に予め装着されたフィルタ３２を取り外す場合について説明する。先ず、作業者がフィルタカバー３８を把持してフィルタ挿入口３４の取付部４２から取り外した後、フィルタ挿入口３４の開口面５４から露出しているフィルタ３２の一端部３２ｃに作業者の指を挿入して引っ掛ける。
【００４１】
そして、フィルタ３２をフィルタ挿入口３４から引き出すように略水平方向（矢印Ｃ方向）へと引っ張ることで、前記フィルタ３２がガイド部４４のガイド作用下に上部ケース２０の外部へと取り出される。この際、フィルタ３２の一端部３２ｃが、フィルタ挿入口３４から外部へと取り出された際に、重力作用下に下方（矢印Ｂ方向）へと傾斜してしまうが、前記フィルタ３２の下面３２ｂが、第１リブ５０の平坦部５６によって保持されているため、前記フィルタ３２の一端部３２ｃが下方へと過度に傾斜してしまうことが防止され、前記フィルタ３２を円滑に取り出すことができる。
【００４２】
そして、フィルタ３２が完全に取り出された後、新たなフィルタ３２を上部ケース２０へと装着する。先ず、作業者がフィルタ３２を把持し、その他端部側からフィルタ挿入口３４へと挿入していく。この場合、フィルタ３２は、その上面３２ａが第２縁部４８に当接し、下面３２ｂが第１リブ５０の平坦部５６及び第１縁部４６に当接することによって傾きが規制されるため、前記フィルタ３２を挿入する際に引っ掛かりが生じることがなく、円滑に上部ケース２０の内部へと挿入することができる。換言すれば、フィルタ３２は、フィルタ挿入口３４への挿入時において、第１リブ５０、第１縁部４６及び第２縁部４８の３点によって保持されているため、上部ケース２０の内部へと円滑に挿入することが可能となる。
【００４３】
そして、フィルタ３２をさらに奥へと押し込むことによって該フィルタ３２がガイド部４４に沿って内部へと挿入され、該ガイド部４４によって略水平に保持された状態となる。
【００４４】
最後に、作業者がフィルタカバー３８を把持し、その第１凹部６１ａが第１リブ５０側、第２凹部６１ｂが第２リブ５２側となるように装着することで、前記第１リブ５０に対して第１凹部６１ａが係合され、前記第２リブ５２に対して第２凹部６１ｂが係合され、フィルタ挿入口３４が閉塞される。この際、フィルタ３２の一端部３２ｃは、フィルタカバー３８における本体部５８の平面部６２によって押えられ保持されている。
【００４５】
以上のように、本実施の形態では、車両用空調装置１０を構成する送風機ユニット１４のフィルタ挿入口３４において、開口面５４を上方（矢印Ａ方向）に向かって所定角度だけ傾斜させて形成することにより、上部ケース２０内に収納されたフィルタ３２の一端部３２ｃを前記フィルタ挿入口３４の開口部から外部へと露出させることができる。そのため、フィルタ３２を上部ケース２０から取り出す際、フィルタ挿入口３４から露出しているフィルタ３２の一端部３２ｃを作業者が把持することで、該フィルタ３２を容易且つ確実に取り出すことができる。
【００４６】
また、従来技術に係る車両用空調装置のように、フィルタをケーシングから突出するように大きく形成する必要がないため、前記フィルタの製造コストが増加してしまうことがなく、しかも、フィルタの製造コストを抑制することができる。
【００４７】
さらに、波状に複数回折曲されたフィルタ３２において、上方に開口した一端部３２ｃがフィルタ挿入口３４側となるように配置し、しかも、前記一端部３２ｃに臨む第２リブ５２が、第１リブ５０に対して上部ケース２０の内側にオフセットして配置されているため、前記一端部３２ｃに対して作業者が指を挿入して引っ掛けて引き出すことが容易となり、前記フィルタ３２を確実且つ簡便に取り出すことが可能となる。
【００４８】
さらにまた、フィルタ挿入口３４には、取付部４２を構成する第１縁部４６と、該第１縁部４６の端部から突出した第１リブ５０と、前記第２縁部４８とを備え、前記フィルタ挿入口３４に対してフィルタ３２を挿入する際、前記平坦部５６、第１縁部４６及び第２縁部４８の３点に前記フィルタ３２の上面３２ａ及び下面３２ｂを当接させることで、前記フィルタ３２とフィルタ３２の挿入方向とがなす角度を小さくすることが可能となり、それに伴って、前記フィルタ３２を前記フィルタ挿入口３４に対して挿入しやすくなる。
【００４９】
またさらに、第１リブ５０の上面に、フィルタ３２の挿入方向と平行な平坦部５６を設けることにより、フィルタ挿入口３４にフィルタ３２を挿入する際、前記第１リブ５０に対する前記フィルタ３２の引っ掛かりを防止することができ、前記フィルタ３２を円滑に挿入することが可能となる。
【００５０】
また、フィルタカバー３８の装着される第１及び第２リブ５０、５２を、フィルタ挿入口３４の開口面５４に対して直交するように設けることにより、前記フィルタ挿入口３４の開口部上方にスペースが生じ、フィルタ３２を取り出す際に取り出しやすくする。
【００５１】
さらに、フィルタカバー３８の本体部５８には、取付部４２に装着された際に鉛直方向に延在する平面部６２を備えているため、前記取付部４２にフィルタカバー３８を装着することで、フィルタ３２の一端部３２ｃに当接して押えることが可能となり、前記フィルタ３２に対して過大な押圧力を付与することが防止される。
【００５２】
さらにまた、上部ケース２０において、フィルタ挿入口３４の開口方向と内気導入口３０の開口方向とを同一方向とすることにより、前記上部ケース２０を成形する際に、単一の金型で型抜きを行うことができるため、それぞれ別の金型で成形する場合と比較して金型に要するコストの低減を図ることができ、それに伴って、車両用空調装置の製造コストを削減することができる。
【００５３】
なお、本発明に係る車両用空調装置は、上述の実施の形態に限らず、本発明の要旨を逸脱することなく、種々の構成を採り得ることはもちろんである。
【符号の説明】
【００５４】
１０…車両用空調装置                １４…送風機ユニット
１６…送風機                        １８…送風機ケース
２０…上部ケース                    ２８…外気導入口
３０…内気導入口                    ３２…フィルタ
３４…フィルタ挿入口                ３６…切換ダンパ
３８…フィルタカバー                ４２…取付部
４６…第１縁部                      ４８…第２縁部
５０…第１リブ                      ５２…第２リブ
５４…開口面                        ５６…平坦部
５８…本体部                        ６０ａ、６０ｂ…壁部
【図１】
2013136259.tif 000003
【図２】
2013136259.tif 000004
【図３】
2013136259.tif 000005
【図４】
2013136259.tif 000006